(57)【特許請求の範囲】
【請求項１】
画像情報を記憶する記憶手段が備えられており、
前記画像情報の送信要求を行う情報送信要求側装置から前記画像情報の送信要求を示す送信要求信号を受信した場合に、その送信要求信号に対応する画像情報を前記記憶手段から読出し、その読出した画像情報を前記情報送信要求側装置へ送信する通信装置において、
前記情報送信要求側装置から送信される送信要求信号が、Ｆコード掲示板通信を行うための信号であるか否かを判定する判定手段と、
この判定手段により、前記送信要求信号は、Ｆコード掲示板通信を行うための信号であると判定された場合は、前記送信要求信号に対応する画像情報を前記記憶手段から読出すとともに、その読出した画像情報を前記情報送信要求側装置へ送信する第１の送信手段と、
前記判定手段により、前記送信要求信号は、Ｆコード掲示板通信を行うための信号ではないと判定された場合は、その判定結果に対応する情報を前記情報送信要求側装置へ送信する第２の送信手段と、
が備えられたことを特徴とする通信装置。
【請求項２】
前記第２の送信手段は、
前記判定手段により、前記送信要求信号は、Ｆコード掲示板通信を行うための信号ではないと判定された場合は、その判定結果に対応する画像情報を前記情報送信要求側装置へ送信することを特徴とする請求項１に記載の通信装置。
【請求項３】
前記第２の送信手段は、
前記判定手段により、前記送信要求信号は、Ｆコード掲示板通信を行うための信号ではないと判定された場合は、その判定結果に対応する音声情報を前記情報送信要求側装置へ送信することを特徴とする請求項１に記載の通信装置。
【請求項４】
画像情報を記憶する記憶手段が備えられており、
前記画像情報の送信要求を行う情報送信要求側装置から前記画像情報の送信要求を示す送信要求信号を受信した場合に、その送信要求信号に対応する画像情報を前記記憶手段から読出し、その読出した画像情報を前記情報送信要求側装置へ送信する通信装置を制御するためのコンピュータプログラムが格納された記憶媒体において、
前記情報送信要求側装置から送信される送信要求信号が、Ｆコード掲示板通信を行うための信号であるか否かを判定し、その判定結果が、前記送信要求信号は、Ｆコード掲示板通信を行うための信号であるという判定結果である場合は、前記送信要求信号に対応する画像情報を前記記憶手段から読出すとともに、その読出した画像情報を前記情報送信要求側装置へ送信し、前記判定手段による判定結果が、前記送信要求信号は、Ｆコード掲示板通信を行うための信号ではないという判定結果である場合は、その判定結果に対応する情報を前記情報送信要求側装置へ送信するように制御するための送信制御プログラムを含むコンピュータプログラムが格納されたことを特徴とする記憶媒体。
【発明の詳細な説明】
【０００１】
【発明の属する技術分野】
本発明は、情報をファクシミリ通信にて提供する通信装置、およびその通信装置を制御するためのコンピュータプログラムが格納された記憶媒体に関する。
【０００２】
【従来の技術】
従来、ファクシミリ通信によって種々の情報を提供することが行われており、そのような情報提供の手段として、いわゆるＦコードを用いた手段が提案されている。
ここに、Ｆコードとは、ＩＴＵ−Ｔ（国際電気通信連合・電気通信標準化部門）で規定されている通信プロトコルにおけるサブアドレス／セレクティブポーリングコマンドを使用したファクシミリ通信のアプリケーション機能の１つである。そして、そのＦコードを利用したファクシミリ通信を行うために、日本の通信機械工業会によって、Ｆコード掲示板通信という通信方式が定められている。
このＦコード掲示板通信とは、情報提供側が、情報を格納したＢＯＸ（記憶領域）を複数有するメモリを備えており、情報要求側が、通信プロトコル上で情報提供側のメモリ内のＢＯＸ番号を指定することにより、その指定したＢＯＸに格納されている情報を取り出して受信することができる通信方式である。
【０００３】
【発明が解決しようとする課題】
しかし、上記Ｆコード掲示板通信を利用して情報の提供を行う手段では、情報の提供を要求する側のファクシミリ装置が、Ｆコード掲示板通信を行う機能を備えている必要がある。このため、Ｆコード掲示板通信を行う機能を備えていないファクシミリ装置を用いて、一般のポーリングによって情報の送信要求を行うと、着信はするものの、次の通信手順に移行しないため、情報の送信要求側のファクシミリ装置に原因不明の通信エラーが発生するという問題がある。
【０００４】
そこで、本発明は、情報の送信要求側の通信装置が、受信すべき画像情報を指定した送信要求を所定のファクシミリ通信手順にしたがって行うことができないものであり、情報の送信要求側がそのような通信装置を用いて画像情報の送信要求を行った場合に、情報の送信要求側の通信装置に原因不明の通信エラーが発生しないようにできる通信装置を実現することを目的とする。
【０００５】
【課題を解決するための手段】
本発明は、上記目的を達成するため、
請求項１に記載の発明では、画像情報を記憶する記憶手段が備えられており、
前記画像情報の送信要求を行う情報送信要求側装置から前記画像情報の送信要求を示す送信要求信号を受信した場合に、その送信要求信号に対応する画像情報を前記記憶手段から読出し、その読出した画像情報を前記情報送信要求側装置へ送信する通信装置において、
前記情報送信要求側装置から送信される送信要求信号が、Ｆコード掲示板通信を行うための信号であるか否かを判定する判定手段と、
この判定手段により、前記送信要求信号は、Ｆコード掲示板通信を行うための信号であると判定された場合は、前記送信要求信号に対応する画像情報を前記記憶手段から読出すとともに、その読出した画像情報を前記情報送信要求側装置へ送信する第１の送信手段と、
前記判定手段により、前記送信要求信号は、Ｆコード掲示板通信を行うための信号ではないと判定された場合は、その判定結果に対応する情報を前記情報送信要求側装置へ送信する第２の送信手段と、が備えられたという技術的手段を採用する。
【０００６】
請求項２に記載の発明では、請求項１に記載の通信装置において、前記第２の送信手段は、
前記判定手段により、前記送信要求信号は、Ｆコード掲示板通信を行うための信号ではないと判定された場合は、その判定結果に対応する画像情報を前記情報送信要求側装置へ送信するという技術的手段を採用する。
【０００７】
請求項３に記載の発明では、請求項１に記載の通信装置において、前記第２の送信手段は、
前記判定手段により、前記送信要求信号は、Ｆコード掲示板通信を行うための信号ではないと判定された場合は、その判定結果に対応する音声情報を前記情報送信要求側装置へ送信するという技術的手段を採用する。
【０００８】
請求項４に記載の発明では、画像情報を記憶する記憶手段が備えられており、
前記画像情報の送信要求を行う情報送信要求側装置から前記画像情報の送信要求を示す送信要求信号を受信した場合に、その送信要求信号に対応する画像情報を前記記憶手段から読出し、その読出した画像情報を前記情報送信要求側装置へ送信する通信装置を制御するためのコンピュータプログラムが格納された記憶媒体において、
前記情報送信要求側装置から送信される送信要求信号が、Ｆコード掲示板通信を行うための信号であるか否かを判定し、その判定結果が、前記送信要求信号は、Ｆコード掲示板通信を行うための信号であるという判定結果である場合は、前記送信要求信号に対応する画像情報を前記記憶手段から読出すとともに、その読出した画像情報を前記情報送信要求側装置へ送信し、前記判定手段による判定結果が、前記送信要求信号は、Ｆコード掲示板通信を行うための信号ではないという判定結果である場合は、その判定結果に対応する情報を前記情報送信要求側装置へ送信するように制御するための送信制御プログラムを含むコンピュータプログラムが格納されたという技術的手段を採用する。
【００１０】
【作用】
請求項１ないし請求項４に記載の発明では、上記判定手段は、情報送信要求側装置から送信される送信要求信号が、Ｆコード掲示板通信を行うための信号であるか否かを判定する。そして、上記第１の送信手段は、上記判定手段により、上記送信要求信号は、Ｆコード掲示板通信を行うための信号であると判定された場合は、上記送信要求信号に対応する画像情報を、画像情報を記憶する記憶手段から読出すとともに、その読出した画像情報を情報送信要求側装置へ送信する。また、上記第２の送信手段は、上記判定手段により、上記送信要求信号は、Ｆコード掲示板通信を行うための信号ではないと判定された場合は、その判定結果に対応する情報を情報送信要求側装置へ送信する。
【００１１】
つまり、情報送信要求側装置が、Ｆコード掲示板通信を行う機能を備えていないにもかかわらず、画像情報の送信要求を行ってきた場合は、上記機能を備えていないために情報の提供を行うことができない旨を示す情報を情報送信要求側装置へ送信することができる。
したがって、従来のように、情報送信要求側装置の通信装置において、原因不明の通信エラーが発生することもなく、情報送信要求側装置は、自分の通信装置では所望の情報を入手できないことを知ることができる。
【００１２】
特に、請求項２に記載の発明では、上記第２の送信手段は、上記判定手段により、上記送信要求信号は、Ｆコード掲示板通信を行うための信号ではないと判定された場合は、その判定結果に対応する画像情報を情報送信要求側装置へ送信することができる。
つまり、情報送信要求側装置は、情報提供側から送信された上記画像情報を受信して再生することにより、情報を入手できなかった原因を視覚的に知ることができる。
たとえば、情報送信要求側装置の通信装置がファクシミリ装置である場合は、情報提供側から送信された上記画像情報を受信して記録用紙に再生することにより、情報を入手できなかった原因を紙面で知ることができる。また、情報送信要求側装置の通信装置がＣＲＴやＬＣＤなどの表示装置を備えている場合は、情報提供側から送信された上記画像情報を受信して上記表示装置で再生することにより、情報を入手できなかった原因を画面上で知ることができる。
【００１３】
また、請求項３に記載の発明では、上記第２の送信手段は、上記判定手段により、上記送信要求信号は、Ｆコード掲示板通信を行うための信号ではないと判定された場合は、その判定結果に対応する音声情報を情報送信要求側装置へ送信することができる。
つまり、たとえば、情報送信要求側装置の通信装置が、音声情報を音声に再生する音声情報再生手段を備えている場合は、情報提供側から送信された上記音声情報を受信して上記音声情報再生手段によって音声に再生することにより、情報を入手できなかった原因を耳で聞いて知ることができる。
なお、上記音声情報としては、肉声をデジタルデータに変換したもの、あるいは、音声の内容を示す文字情報などが相当する。
【００１４】
さらに、請求項４に記載の発明のように、上記情報送信要求側装置から送信される送信要求信号が、Ｆコード掲示板通信を行うための信号であるか否かを判定し、その判定結果が、上記送信要求信号は、Ｆコード掲示板通信を行うための信号であるという判定結果である場合は、上記送信要求信号に対応する画像情報を上記記憶手段から読出すとともに、その読出した画像情報を情報送信要求側装置へ送信し、上記判定手段による判定結果が、上記送信要求信号は、Ｆコード掲示板通信を行うための信号ではないという判定結果である場合は、その判定結果に対応する情報を情報送信要求側装置へ送信するように制御するための送信制御プログラムを含むコンピュータプログラムが格納された記憶媒体を用いることにより、上記請求項１に記載の通信装置を実現できる。
【００１５】
つまり、上記通信装置は、たとえば、後述する発明の実施の形態に記載するように、通信装置に内蔵されたＣＰＵ、あるいは、通信装置に接続されたコンピュータによって制御されることから、上記記憶媒体としてのＲＯＭを設け、もしくは、上記記憶媒体に格納されているコンピュータプログラムをコンピュータにインストールすることによって、請求項１に記載の発明を実施できるからである。
【００１７】
【発明の実施の形態】
以下、本発明の通信装置の第１実施形態について図を参照して説明する。
図１は、本第１実施形態の通信装置の主な制御系をブロックで示す説明図である。
なお、以下の各実施形態では、本発明の通信装置として、情報の送信を要求する側のファクシミリ装置へ情報を提供する通信装置を代表に説明する。
【００１８】
通信装置１には、情報の送信を要求する側のファクシミリ装置（以下、相手ファクシミリ装置と称する）６１との間で行うＦコード掲示板通信、通常のファクシミリ通信、音声案内などの通信制御、イメージスキャナ４５が原稿の画像情報を読取る場合の読取制御、記録ヘッド２０が記録用紙へ記録する場合の記録制御、この通信装置１に接続されたＰＣ（Ｐｅｒｓｏｎａｌ  Ｃｏｍｐｕｔｅｒ）６４との間で行うデータの入出力制御などを行うＣＰＵ４０が備えられている。
さらに、通信装置１には、相手ファクシミリ装置６１から送信されるファクシミリデータを受信するための通信用モデム６０と、この通信用モデム６０によって受信されたファクシミリデータ、あるいは、ＰＣ６４から出力され、インターフェース４１を介して入力された記録データを展開するゲートアレイ４２とが備えられている。
【００１９】
ＣＰＵ４０とゲートアレイ４２とを接続するアドレスバスおよびデータバスには、ＣＰＵ４０が前述の各種制御を実行するための制御プログラム、送信先のＦＡＸ番号などが記憶されているＲＯＭ４３と、相手ファクシミリ装置６１へ提供する各種情報が記憶されたＲＡＭ４４とが接続されており、ＣＰＵ４０は、ＲＯＭ４３およびＲＡＭ４４との間で必要なデータの入出力を行う。
【００２０】
ここで、ＲＡＭ４４の主な記憶内容について、それを示す図２（Ａ）を参照して説明する。
ＲＡＭ４４は、第１記憶エリア４４ａおよび第２記憶エリア４４ｂの２つの記憶エリアを有している。第１記憶エリア４４ａは、ＢＯＸ１〜ＢＯＸｎまでの合計ｎ個のＢＯＸから構成されており、各ＢＯＸには、種々の画像情報、たとえば、本通信装置１が税金に関する情報を提供するために使用するものである場合は、所得税についての説明、税金控除についての説明などの各種画像情報が、情報の種類別にＢＯＸに記憶される。
また、第２記憶エリア４４ｂには、情報の送信要求側へ情報を取り出すことができない旨を報知するための画像情報、たとえば、「ＢＯＸ番号を指定しないと情報をご提供できません。」、または、「Ｆコード対応ファクシミリ装置でなければ、情報を指定することができません。」などを内容とする画像情報（以下、報知画像情報と称する）４４ｃが記憶されている。
なお、ＲＡＭ４４が、本発明の記憶手段に対応し、報知画像情報４４ｃが、請求項２に記載の判定結果に対応する画像情報に対応する。
【００２１】
ここで、図１の説明に戻り、ゲートアレイ４２には、受信した各データをイメージデータとして一時的に記憶するイメージメモリ５４と、記録ヘッド２０が搭載されたキャリッジ（図示省略）の移動速度を計測し、記録タイミングを決定するエンコーダセンサ５９とが接続されている。さらに、ゲートアレイ４２は、キャリッジの移動にともない、エンコーダセンサ５９が出力した信号に基づいて記録クロック５７を生成する。さらに、ゲートアレイ４２には、ヘッドドライバＩＣ５８が接続されており、このヘッドドライバＩＣ５８は、ゲートアレイ４２から出力された記録データ５５、転送クロック５６および記録クロック５７に基づいて動作し、記録ヘッド２０を駆動する。
【００２２】
さらに、ＣＰＵ４０には、記録用紙の有無を検出する記録用紙センサ５０と、原稿がイメージスキャナ４５の読取部分にあることを検出する原稿センサ５１と、キャリッジがホームポジションにあることを検出するキャリッジ原点センサ５２と、キャリッジモータ１４を駆動するための第１のモータドライバ７０と、プラテンローラ回転用のラインフィードモータ４７を駆動するための第２のモータドライバ４６と、イメージスキャナモータ４８を駆動するための第３のモータドライバ４９と、各種の信号をＣＰＵ４０に与える操作パネル３と、液晶表示部（ＬＣＤ）４とが接続されている。
【００２３】
次に、本発明の特徴である、相手ファクシミリ装置６１から情報の送信要求があった場合に、通信装置１に備えられたＣＰＵ４０によって実行される通信制御内容について図３および図４を参照して説明する。
図３は、通信装置１と相手ファクシミリ装置６１との間で行われる通信手順を示す説明図である。図４は、ＣＰＵ４０により実行される通信制御の内容を示すフローチャートである。
【００２４】
ＣＰＵ４０は、相手ファクシミリ装置６１から送信されたＣＡＬＬ信号の着信を検出し（ステップ１００：Ｙｅｓ）、ＣＮＧ信号を検出すると（ステップ１０２：Ｙｅｓ）、相手ファクシミリ装置６１へＤＩＳ信号、つまり、通信装置１の通信能力を相手ファクシミリ装置６１に知らせるための信号を送信する（ステップ１０４）。続いて、ＣＰＵ４０は、相手ファクシミリ装置６１からＳＥＰ信号およびＤＴＣ信号を受信したか否かを判定する（ステップ１０６）。
つまり、ＣＰＵ４０は、ＤＩＳ信号に対する応答を示すＤＴＣ信号と共に、第１記憶エリア４４ａに記憶されている情報を取り出すためのＢＯＸ番号を指定するためのＳＥＰ信号を受信したか否かを判定する（ステップ１０６）。
【００２５】
そして、ＣＰＵ４０は、ＳＥＰ信号を受信したと判定した場合は（ステップ１０６：Ｙｅｓ）、相手ファクシミリ装置６１に受信を命令するＤＣＳ信号を送信し（ステップ１０８）、相手ファクシミリ装置６１に設定されている通信速度を確かめるためのＴＣＦ信号を送信する（ステップ１１０）。
なお、上記ステップ３０４において受信されたＳＥＰ信号によって示されるＢＯＸ番号を示すＢＯＸ番号データは、ＲＡＭ４４に一時的に記憶される。
続いて、ＣＰＵ４０は、受信準備完了を示すＣＦＲ信号の受信を検出すると（ステップ１１２：Ｙｅｓ）、ＲＡＭ４４に一時的に記憶されているＢＯＸ番号データを読出すとともに、その読出したＢＯＸ番号データによって示されるＢＯＸ番号に対応する画像情報（ＰＩＸ）を第１記憶エリア４４ａから読出し、その読出した情報を相手ファクシミリ装置６１へ送信する（ステップ１１４）。この送信された情報は、相手ファクシミリ装置６１によって記録用紙に記録され、相手ファクシミリ装置６１を使用する者は、その記録された内容を見ることによって情報を知ることができる。
【００２６】
そして、ＣＰＵ４０は、情報の送信を終了すると、ファクシミリ通信手順の終了を示すＥＯＰ信号を送信し（ステップ１１６）、ＥＯＰ信号に対する肯定的な応答信号であるＭＣＦ信号を受信すると（ステップ１１８）、通信回線の切断を命令するＤＣＮ信号を送信する（ステップ１２０）。
【００２７】
一方、相手ファクシミリ装置６１がＦコード掲示板通信を行う機能を備えていないにもかかわらず、一般のポーリングによる情報の送信要求を行ってきた場合は、相手ファクシミリ装置６１からはＳＥＰ信号が送信されないため、ＣＰＵ４０は、ステップ１０６においてＳＥＰ信号を受信しなかったと判定する（ステップ１０６：Ｎｏ）。続いて、ＣＰＵ４０は、ＤＣＳ信号を送信し（ステップ１２２）、ＴＣＦ信号を送信し（ステップ１２４）、ＣＦＲ信号を受信すると（ステップ１２６：Ｙｅｓ）、ＲＡＭ４４の第２記憶エリア４４ｂから報知画像情報４４ｃを読出し、その読出した報知画像情報４４ｃを相手ファクシミリ装置６１へ送信する（ステップ１２８）。この送信された報知画像情報４４ｃは、相手ファクシミリ装置６１によって記録用紙に記録され、情報の送信要求側は、その記録された内容を見ることによって、自分のファクシミリ装置では、情報を入手できないことを視覚的に知ることができる。
なお、相手ファクシミリ装置６１にＬＣＤが備えられている場合は、そのＬＣＤに上記報知画像情報を表示するように構成することもできる。また、相手ファクシミリ装置６１にＰＣが接続されている場合は、そのＰＣに備えられたＣＲＴやＬＣＤなどに上記報知画像情報を表示するように構成することもできる。
【００２８】
そして、ＣＰＵ４０は、情報の送信を終了するとＥＯＰ信号を送信し（ステップ１３０）、ＭＣＦ信号を受信すると（ステップ１３２）、ＤＣＮ信号を送信する（ステップ１３４）。
以上のように、本第１実施形態の通信装置１を用いれば、相手ファクシミリ装置６１がＦコード掲示板通信を行う機能を備えていないにもかかわらず、一般のポーリングによる情報の送信要求を行ってきた場合は、情報を提供することができない旨をファクシミリ通信で知らせることができる。
したがって、従来のように、情報送信要求側装置において原因不明の通信エラーが発生するおそれがない。
【００２９】
ところで、上記ＳＥＰ信号が、本発明の送信要求信号に対応する。また、ＣＰＵ４０によって実行されるステップ１０６が、本発明の判定手段として機能し、ステップ１１４が第１の送信手段として機能し、ステップ１２８が請求項１および請求項２に記載の第２の送信手段として機能する。
【００３０】
次に、本発明第２実施形態の通信装置について図２（Ｂ）および図５を参照して説明する。
本第２実施形態の特徴は、相手ファクシミリ装置６１が、Ｆコード掲示板通信を行う機能を備えておらず、一般のポーリングを用いて情報の提供を求めてきた場合に、相手ファクシミリ装置６１に、情報を提供できない理由を音声情報によって知らせることができることを特徴とする。
図２（Ｂ）は、ＲＡＭ４４の主な記憶内容を示す説明図であり、図５は、本第２実施形態の通信装置に備えられたＣＰＵによって実行される通信制御の内容を一部を省略して示すフローチャートである。
なお、本第２実施形態の通信装置の制御系の構成は、前述の第１実施形態の通信装置１と同じであり、また、ＣＰＵ４０によって実行される通信制御の内容は、図４のステップ１２８を除いて同じであるため、それら同じ部分の説明は省略する。
【００３１】
最初に、ＲＡＭ４４の記憶内容について図２（Ｂ）を参照して説明する。
ＲＡＭ４４は、第１記憶エリア４４ａおよび第２記憶エリア４４ｂの２つの記憶エリアを有している。第１記憶エリア４４ａは、前述の第１実施形態と同じ構成である。第２記憶エリア４４ｂには、情報の送信要求側へ情報を取り出すことができない旨を音声で報知するための情報、たとえば、「ＢＯＸ番号を指定しないと情報をご提供できません。」、または、「Ｆコード対応ファクシミリ装置でなければ、情報を指定することができません。」などのメッセージ（以下、報知音声情報と称する）４４ｄが記憶されている。
報知音声情報４４ｄの形態としては、たとえば、肉声をデジタルデータに変換したもの、あるいは、上記各メッセージを示す文字情報などを採用する。
なお、報知音声情報４４ｄが、請求項３に記載の判定結果に対応する音声情報に対応する。
【００３２】
次に、ＣＰＵ４０によって実行される通信制御について図５を参照して説明する。
ＣＰＵ４０は、図４に示したステップ１００〜ステップ１０４を実行し、相手ファクシミリ装置６１からはＳＥＰ信号が送信されないため、ステップ１０６では否定判定し、ＤＣＳ信号の送信およびＴＣＦ信号の送信を実行し（ステップ１２２、ステップ１２４）、相手ファクシミリ装置６１から送信されたＣＦＲ信号の受信を検出すると（ステップ１２６：Ｙｅｓ）、ＲＡＭ４４の第２記憶エリア４４ｂに記憶されている報知音声情報４４ｄを相手ファクシミリ装置６１ＢＦＴ（バイナリ・ファイル・トランスファー）モードにより送信する（ステップ１２７）。
【００３３】
この送信された報知音声情報４４ｄは、相手ファクシミリ装置６１に備えられた音声情報再生手段（図示省略）によって音声に再生され、情報送信要求側装置は、その再生された音声を耳で聞くことによって、自分の通信装置では所望の情報を入手できないことを知ることができる。
なお、上記音声情報再生手段としては、上記音声情報が、肉声をデータ化したものである場合は、そのデータを再生する音声回路およびスピーカなどの手段が採用され、あるいは、上記音声情報が、メッセージを示す文字情報である場合は、受信した文字情報を音声に変換する変換手段が採用される。
【００３４】
そして、ＣＰＵ４０は、情報の送信を終了するとＥＯＰ信号を送信し（ステップ１３０）、図４に示したように、ＭＣＦ信号を受信すると（ステップ１３２）、ＤＣＮ信号を送信する（ステップ１３４）。
以上のように、本第２実施形態の通信装置１を用いれば、相手ファクシミリ装置６１がＦコード掲示板通信を行う機能を備えていないにもかかわらず、一般のポーリングによる情報の送信要求を行ってきた場合は、情報を提供することができない旨を音声で知らせることができる。
したがって、従来のように、情報送信要求側装置において原因不明の通信エラーが発生するおそれがない。
ところで、ＣＰＵ４０によって実行されるステップ１２７が、請求項３に記載の第２の送信手段として機能する。
【００３５】
また、上記実施形態では、図４および図５のフローチャートにより示される通信制御を記録装置１に内蔵されたＣＰＵ４０に実行させたが、それらの制御および処理を実行するためのコンピュータプログラムが格納されたＣＤ−ＲＯＭやＦＤなどをＰＣ６４でドライブし、上記コンピュータプログラムをＨＤＤ（Ｈａｒｄ  Ｄｉｓｋ  Ｄｒｉｖｅ）６４ｂにインストールすることによって、上記各種制御および処理をＰＣ６４のＣＰＵ６４ａによって行うこともできる。この場合、上記ＣＤ−ＲＯＭやＦＤなどが、請求項４に記載の記憶媒体として機能する。
【００３６】
【発明の効果】
以上のように、請求項１ないし請求項４に記載の発明によれば、情報送信要求側装置から送信される送信要求信号が、Ｆコード掲示板通信を行うための信号であるか否かを判定する判定手段と、この判定手段により、上記送信要求信号は、Ｆコード掲示板通信を行うための信号であると判定された場合は、上記送信要求信号に対応する画像情報を情報送信要求側装置へ送信する第１の送信手段と、上記判定手段により、上記送信要求信号は、Ｆコード掲示板通信を行うための信号ではないと判定された場合は、その判定結果に対応する情報を情報送信要求側装置へ送信する第２の送信手段とが備えられているため、情報送信要求側装置が、Ｆコード掲示板通信を行う機能を備えていないにもかかわらず、画像情報の送信要求を行ってきた場合は、上記機能を備えていないために情報の提供を行うことができない旨を示す情報を情報送信要求側装置へ送信することができる。
したがって、従来のように、情報送信要求側装置の通信装置において、原因不明の通信エラーが発生することもなく、情報送信要求側装置は、自分の通信装置では所望の情報を入手できないことを知ることができる。
【００３７】
特に、請求項２に記載の発明によれば、上記第２の送信手段は、上記判定手段により、上記送信要求信号は、Ｆコード掲示板通信を行うための信号ではないと判定された場合は、その判定結果に対応する画像情報を情報送信要求側装置へ送信することができる。
したがって、情報送信要求側装置は、情報提供側から送信された上記画像情報を受信して再生することにより、情報を入手できなかった原因を視覚的に知ることができる。
【００３８】
また、請求項３に記載の発明によれば、上記第２の送信手段は、上記判定手段により、上記送信要求信号は、Ｆコード掲示板通信を行うための信号ではないと判定された場合は、その判定結果に対応する音声情報を情報送信要求側装置へ送信することができる。
したがって、情報送信要求側装置の通信装置が、音声情報を音声に再生する音声情報再生手段を備えている場合は、情報提供側から送信された上記音声情報を受信して上記音声情報再生手段によって音声に再生することにより、情報を入手できなかった原因を耳で聞いて知ることができる。
【００３９】
さらに、請求項４に記載の発明によれば、上記情報送信要求側装置から送信される送信要求信号が、Ｆコード掲示板通信を行うための信号であるか否かを判定し、その判定結果が、上記送信要求信号は、Ｆコード掲示板通信を行うための信号であるという判定結果である場合は、上記送信要求信号に対応する画像情報を上記記憶手段から読出すとともに、その読出した画像情報を情報送信要求側装置へ送信し、上記判定手段による判定結果が、上記送信要求信号は、Ｆコード掲示板通信を行うための信号ではないという判定結果である場合は、その判定結果に対応する情報を情報送信要求側装置へ送信するように制御するための送信制御プログラムを含むコンピュータプログラムが格納された記憶媒体という構成であるため、その記憶媒体を通信装置内のＲＯＭとして設け、もしくは、その記憶媒体に格納されているコンピュータプログラムをコンピュータにインストールすることによって本発明の通信装置を実現することができる。
【図面の簡単な説明】
【図１】  本発明第１実施形態の通信装置の主な制御系をブロックで示す説明図である。
【図２】  図２（Ａ）は、本発明第１実施形態の通信装置に内蔵されたＲＡＭ４４の主な記憶内容を示す説明図であり、図２（Ｂ）は、本発明第２実施形態の通信装置に内蔵されたＲＡＭ４４の主な記憶内容を示す説明図である。
【図３】  通信装置１と相手ファクシミリ装置６１との間で行われる通信手順を示す説明図である。
【図４】  本発明第１実施形態のＣＰＵ４０により実行される通信制御の内容を示すフローチャートである。
【図５】  本発明第２実施形態のＣＰＵ４０により実行される通信制御の内容を一部を省略して示すフローチャートである。
【符号の説明】
１    通信装置
４０    ＣＰＵ
４４    ＲＡＭ（記憶手段）
６１    相手ファクシミリ装置（情報送信要求側装置）
【図１】
0003635920.tif 000002
【図２】
0003635920.tif 000003
【図３】
0003635920.tif 000004
【図４】
0003635920.tif 000005
【図５】
0003635920.tif 000006